(57)【要約】【課題】線材コイルの集積が完了したコイルプレートを下降するときに、線材コイルのコイル後端がノーズコーン穴に引っ掛かるのを防止する線材コイル製造ラインにおけるリフォーミングタブの制御方法を提供する。【解決手段】コイルプレート１６に集積され続けており、上流設備で製造されている線材コイルＣＷ１のコイル後端Ｃｂの位置を演算するコイル後端位置演算ステップ（ＳＲ１、ＳＴ２、ＳＴ３）と、コイル後端位置がリフォーミングタブ５に到達する到達時刻Ｈｂを演算する到達時刻演算ステップ（ＳＴ３）と、到達時刻に達した時点でコイルプレートを降下させるコイルプレート降下制御ステップ（ＳＴ４、ＳＴ５）とを備えている。【選択図】図３
2020110816.tif 000002
【特許請求の範囲】
【請求項１】
線材コイル製造ラインの上流設備から搬送されてきた線材コイルを集積するリフォーミングタブの制御方法であって、
前記リフォーミングタブは、搬送されてきた前記線材コイルを上部から通すことで前記線材コイルの位置決めをするノーズコーンと、前記ノーズコーンの下側外周に向けて前進・後退自在に配置されたアイリスと、前記アイリスの下方位置まで昇降自在に配置され、線材コイルを集積するコイルプレートと、を備え、前記アイリスは、前記ノーズコーンに設けたノーズコーン穴に入り込む閉動作を行うことで前記線材コイルを一時的に貯え、前記ノーズコーン穴から離れる開動作を行うことで前記線材コイルの貯えを前記コイルプレートに移し替えており、
前記コイルプレートに集積され続けており、前記上流設備で製造されている前記線材コイルのコイル後端位置を演算するコイル後端位置演算ステップと、
前記コイル後端位置が前記リフォーミングタブに到達する到達時刻を演算する到達時刻演算ステップと、
前記到達時刻に達した時点で前記コイルプレートを降下させるコイルプレート降下制御ステップと、
を備えていることを特徴とする線材コイル製造ラインにおけるリフォーミングタブの制御方法。
【請求項２】
前記線材コイル製造ラインの上流設備は、線材を圧延する線材圧延機と、前記線材圧延機で圧延された前記線材をリング状に成形して線材コイルとするレイングヘッドと、前記レイングヘッドで成形された前記線材コイルを展開して搬送していき、終端の前記リフォーミングタブに前記線材コイルを供給するコンベアと、を備えており、
前記コイル後端位置演算ステップは、前記線材圧延機に配置した熱塊検出器の温度検出値の変化に基づいて、前記線材コイルのコイル後端位置を演算することを特徴とする請求項１記載の線材コイル製造ラインにおけるリフォーミングタブの制御方法。
【請求項３】
前記コイル後端位置演算ステップは、前記線材圧延機に配置した熱塊検出器の温度検出値の変化とともに、前記コンベアの搬送速度に基づいて前記線材コイルのコイル後端位置を演算することを特徴とする請求項２記載の線材コイル製造ラインにおけるリフォーミングタブの制御方法。
【請求項４】
線材コイル製造ラインの上流設備から搬送されてきた線材コイルを集積するリフォーミングタブの制御装置であって、
前記リフォーミングタブは、搬送されてきた前記線材コイルを上部から通すことで前記線材コイルの位置決めをするノーズコーンと、前記ノーズコーンの下側外周に向けて前進・後退自在に配置されたアイリスと、前記アイリスの下方位置まで昇降自在に配置され、線材コイルを集積するコイルプレートと、を備え、前記アイリスは、前記ノーズコーンに設けたノーズコーン穴に入り込む閉動作を行うことで前記線材コイルを一時的に貯え、前記ノーズコーン穴から離れる開動作を行うことで前記線材コイルの貯えを前記コイルプレートに移し替えており、
前記コイルプレートに集積され続けており、前記上流設備で製造されている前記線材コイルのコイル後端位置を演算するコイル後端位置演算部と、
前記コイル後端位置が前記リフォーミングタブに到達する到達時刻を演算する到達時刻演算部と、
前記到達時刻に達した時点で前記コイルプレートを降下させるコイルプレート降下制御部と、
を備えていることを特徴とする線材コイル製造ラインにおけるリフォーミングタブの制御装置。
【請求項５】
前記線材コイル製造ラインの上流設備は、線材を圧延する線材圧延機と、前記線材圧延機で圧延された前記線材をリング状に成形して線材コイルとするレイングヘッドと、前記レイングヘッドで成形された前記線材コイルを展開して搬送していき、終端の前記リフォーミングタブに前記線材コイルを供給するコンベアと、を備えており、
前記コイル後端位置演算部は、前記線材圧延機に配置した熱塊検出器の温度検出値の変化に基づいて、前記線材コイルのコイル後端位置を演算することを特徴とする請求項４記載の線材コイル製造ラインにおけるリフォーミングタブの制御装置。
【請求項６】
前記コイル後端位置演算部は、前記線材圧延機に配置した熱塊検出器の温度検出値の変化とともに、前記コンベアの搬送速度に基づいて前記線材コイルのコイル後端位置を演算することを特徴とする請求項５記載の線材コイル製造ラインにおけるリフォーミングタブの制御装置。
【発明の詳細な説明】
【技術分野】
【０００１】
本発明は、線材コイル製造ラインにおけるリフォーミングタブの制御方法及び装置に係り、詳細には、リフォーミングタブの線材コイルを集積したコイルプレートが下降するタイミングを制御する方法及び装置に関する。
【背景技術】
【０００２】
線材コイル製造ラインは、線材圧延機で圧延された線材が、レイングヘッドで連続したリング状に成形することで線材コイルとされ、コンベア上で展開されて搬送されていく。コンベアで搬送された線材コイルは、コンベアの終端に配置されたコイル集束装置（以下、リフォーミングタブと云う）で集積される。そして、リフォーミングタブで集積された線材コイルは、ライン外に搬出される（例えば、特許文献１参照）。
リフォーミングタブは、コンベアから搬送されてきた線材コイルを通すことで線材コイルの位置決めするノーズコーンと、ノーズコーンの下側外周に向けて前進・後退自在に配置されて線材コイルを一時的に貯えるアイリスと、アイリスの下方位置まで上下方向に移動自在に配置され、線材コイルを集積するコイルプレートと、を備えた装置である（例えば、特許文献２参照）。
【０００３】
ここで、リフォーミングタブのアイリスは、ノーズコーンの下側外周を囲む周方向に所定間隔をあけて配置した複数のアイリスアームで構成され、複数のアイリスアームがノーズコーンの下外周に向けて前進すると、アイリスアームの先端がノーズコーンの下側外周に設けたノーズコーン穴に入り込む。このリフォーミングタブは、アイリスアームが前進して先端がノーズコーン穴に入り込むとアイリスの閉動作が行われ、ノーズコーンを通過した線材コイルがアイリスで一時的に貯えられる。また、先端がノーズコーン穴から出てアイリスアームがノーズコーンから後退していくとアイリスの開動作が行われ、アイリスの下方位置まで上昇してきたコイルプレートに、アイリスに一時的に貯えた線材コイルが移し替えられる。
また、線材コイルがコイル後端までコイルプレートに集積され、線材コイルの集積作業が完了した時点で、コイルプレートの下降動作を行うことで、線材コイルをライン外に搬出するために下方に移動していく。
【先行技術文献】
【特許文献】
【０００４】
【特許文献１】特開平６−７８４０号公報
【特許文献２】特開平９−２８５８１８号公報
【発明の概要】
【発明が解決しようとする課題】
【０００５】
ところで、コイルプレートが線材コイルを集積しているときには、アイリスの開動作によってノーズコーン穴が開口している。このため、線材コイルの後端側がノーズコーンを通過する際に、線材コイルのコイル後端がノーズコーン穴に入り込んで引っ掛かるおそれがある。そこで、リフォーミングタブのコイルプレートに線材コイルを集積する際には、作業員が、コイル後端のノーズコーン穴への引っ掛かりを監視しているのが現状である。
前述した特許文献１は、リフォーミングタブに設けた切断機で集積した線材コイルの端部を切断するときのタイミングを設定する技術であり、特許文献２は、複数種類の外径の線材コイルに対応するために、コイルプレートに所定の外径の線材コイルの集積が完了したときに、コイルプレートを下降させるタイミングを設定する技術である。これら、特許文献１、２は、コイルプレートが線材コイルを集積する際に、コイル後端がノーズコーン穴に引っ掛かるのを防止することはできない。
【０００６】
そこで、本発明は、上記従来例の未解決の課題に着目してなされたものであり、コイルプレートが線材コイルを集積する際に、線材コイルのコイル後端がノーズコーン穴に引っ掛かるのを防止することができる線材コイル製造ラインにおけるリフォーミングタブの制御方法及び装置を提供することを目的としている。
【課題を解決するための手段】
【０００７】
上記目的を達成するために、本発明の一態様に係る線材コイル製造ラインにおけるリフォーミングタブの制御方法は、線材コイル製造ラインの上流設備から搬送されてきた線材コイルを集積するリフォーミングタブの制御方法である。リフォーミングタブは、搬送されてきた線材コイルを上部から通すことで線材コイルの位置決めをするノーズコーンと、ノーズコーンの下側外周に向けて前進・後退自在に配置されたアイリスと、アイリスの下方位置まで昇降自在に配置され、線材コイルを集積するコイルプレートと、を備えている。アイリスは、ノーズコーンに設けたノーズコーン穴に入り込む閉動作を行うことで線材コイルを一時的に貯え、ノーズコーン穴から離れる開動作を行うことで線材コイルの貯えをコイルプレートに移し替えている。そして、本発明の方法は、コイルプレートに集積され続けており、上流設備で製造されている線材コイルのコイル後端位置を演算するコイル後端位置演算ステップと、コイル後端位置がリフォーミングタブに到達する到達時刻を演算する到達時刻演算ステップと、到達時刻に達した時点でコイルプレートを降下させるコイルプレート降下制御ステップと、を備えている。
【０００８】
一方、線材コイル製造ラインにおけるリフォーミングタブの制御装置は、線材コイル製造ラインの上流設備から搬送されてきた線材コイルを集積するリフォーミングタブの制御装置である。リフォーミングタブは、搬送されてきた線材コイルを上部から通すことで線材コイルの位置決めをするノーズコーンと、ノーズコーンの下側外周に向けて前進・後退自在に配置されたアイリスと、アイリスの下方位置まで昇降自在に配置され、線材コイルを集積するコイルプレートと、を備えている。アイリスは、ノーズコーンに設けたノーズコーン穴に入り込む閉動作を行うことで線材コイルを一時的に貯え、ノーズコーン穴から離れる開動作を行うことで前記線材コイルの貯えを前記コイルプレートに移し替えている。そして、本発明の装置は、コイルプレートに集積され続けており、上流設備で製造されている線材コイルのコイル後端位置を演算するコイル後端位置演算部と、コイル後端位置がリフォーミングタブに到達する到達時刻を演算する到達時刻演算部と、到達時刻に達した時点でコイルプレートを降下させるコイルプレート降下制御部と、を備えている。
【発明の効果】
【０００９】
本発明に係る線材コイル製造ラインにおけるリフォーミングタブの制御方法及び装置によれば、コイルプレートが線材コイルを集積する際に、線材コイルのコイル後端がノーズコーン穴に引っ掛かるのを防止することができる。
【図面の簡単な説明】
【００１０】
【図１】本発明に係る一実施形態の線材コイル製造ラインを示す概略図である。
【図２】一実施形態の線材コイル製造ラインを構成するリフォーミングタブ及びリフォーミングタブ制御部を示す図である。
【図３】一実施形態のリフォーミングタブ制御部が行うコイルプレート下降制御処理を示すフローチャートである。
【図４】一実施形態のリフォーミングタブの上アイリスが線材コイルを一時的に貯えている状態を示す図である。
【図５】一実施形態のリフォーミングタブの上アイリスから下アイリスに線材コイルを移し替えた状態を示す図である。
【図６】一実施形態のリフォーミングタブの下アイリスからコイルプレートに線材コイルを移し替えた状態を示す図である。
【図７】一実施形態のリフォーミングタブのコイルプレートを急降下させた状態を示す図である。
【発明を実施するための形態】
【００１１】
次に、図面を参照して、本発明に係る一実施形態を説明する。以下の図面の記載において、同一又は類似の部分には同一又は類似の符号を付している。ただし、図面は模式的なものであり、厚みと平面寸法との関係、各層の厚みの比率、圧延機のスタンド数等は現実のものとは異なることに留意すべきである。したがって、具体的な厚みや寸法は以下の説明を参酌して判断すべきものである。また、図面相互間においても互いの寸法の関係や比率が異なる部分が含まれていることはもちろんである。
また、以下に示す一実施形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【００１２】
〔線材コイル製造ラインの構成〕
図１を参照して本発明に係る線材コイル製造ラインの一実施形態について説明する。
本実施形態の線材コイル製造ライン１は、線材Ｗを圧延する線材圧延機２と、線材圧延機２で圧延された線材Ｗをリング状に成形して線材コイルＣＷとするレイングヘッド３と、レイングヘッド３で成形された線材コイルＣＷを展開して搬送していくコンベア４と、コンベア４の終端に配置され、線材コイルＣＷを集積していくリフォーミングタブ５と、線材圧延機２、コンベア４、リフォーミングタブ５の駆動を制御する上位コンピュータ６及び上位コンピュータ６からデータが入力してリフォーミングタブ５の駆動制御を行うリフォーミングタブ制御部１０と、を備えている。なお、先行する工程で製造されている線材コイルを符号ＣＷ１とし、次回の工程で製造される線材コイルを符号ＣＷ２とする。
【００１３】
ここで、線材圧延機２には、熱塊検出器７（Ｈｏｔ  Ｍｅｔａｌ  Ｄｅｔｅｃｔｅｒ：ＨＭＤ７と称する）が配置されている。このＨＭＤ７の検出値の変化は上位コンピュータ６に出力されている。上位コンピュータ６は、ＨＭＤ７の検出値の変化に基づいて線材Ｗの尾端位置を演算し、この線材Ｗの尾端位置の情報をフォーミングタブ制御部１０に出力する。
コンベア４を駆動するモータ８にはパルス発信器９が接続されており、モータ８の駆動に基づいてパスル発信器９で発生する出力パルスが上位コンピュータ６に出力されている。上位コンピュータ６は、パスル発信器９で発生する出力パルスに基づいてコンベア４の搬送速度を演算し、このコンベア４の搬送速度の情報をリフォーミングタブ制御部１０に出力する。
【００１４】
〔リフォーミングタブ及びリフォーミングタブ制御部の構成〕
図２は、本実施形態のリフォーミングタブ５と、上位コンピュータ６に接続してリフォーミングタブ５の駆動制御を行うリフォーミングタブ制御部１０と、を示すものである。
リフォーミングタブ５は、上部が開口している円筒形状のチャンバー１１と、チャンバー１１内で立設しているマンドレル１２と、マンドレルの上端で同軸に連結されたノーズコーン１３と、チャンバー１１に支持されてノーズコーン１３に向けて前進・後退する上アイリス１４及び下アイリス１５と、チャンバー１１に支持されながら上下方向に移動するコイルプレート１６と、を備えている。
【００１５】
上アイリス１４は、チャンバー１１の周方向に所定間隔をあけて配置され、ノーズコーン１３の下外周に向けて進退自在に配置された複数の上アイリスアーム１７ａ，１７ｂ…と、各上アイリスアーム１７ａ，１７ｂ…を前進・後退させる複数の上アイリス駆動部１８ａ，１８ｂ…と、を備えている。そして、ノーズコーン１３の下外周には、複数の上アイリスアーム１７ａ，１７ｂ…がノーズコーン１３に向けて前進したときに、それらの先端が入り込む上ノーズコーン穴１９が形成されている。この上アイリス１４は、閉動作を行うことで、次回の工程で製造され、これからコイルプレート１６に集積される線材コイルＣＷ２を一時的に貯える。
【００１６】
下アイリス１５も、上アイリス１４に対してチャンバー１１の下に周方向に所定間隔をあけて配置されており、ノーズコーン１３の下外周に向けて進退自在に配置された複数の下アイリスアーム２０ａ，２０ｂ…と、各下アイリスアーム２０ａ，２０ｂ…を前進・後退させる複数の下アイリス駆動部２１ａ，２１ｂ…と、を備えている。そして、ノーズコーン１３の下外周には、複数の下アイリスアーム２０ａ，２０ｂ…がノーズコーン１３に向けて前進したときに、それらの先端が入り込む下ノーズコーン穴２２が形成されている。この下アイリス１５は、閉動作を行うことで、この下アイリス１５の下方位置にコイルプレート１６が上昇してくるまで、先行する工程で集積している線材コイルＣＷ１を一時的に貯える。
【００１７】
コイルプレート１６は、上下方向に移動自在となるようにチャンバー１１にガイドされ、コイルプレート駆動部１６ａの正逆方向の駆動により上昇、或いは下降する装置である。ここで、コイルプレート駆動部１６ａは、コイルプレート１６を高速・低速仕様で上下方向に移動させることが可能な装置である。
【００１８】
また、図２に示すように、リフォーミングタブ制御部１０は、上アイリス開閉制御部３０と、下アイリス開閉制御部３１と、コイルプレート上昇・下降制御部３２と、を備えている。
上アイリス開閉制御部３０は、複数の上アイリス駆動部１８ａ，１８ｂ…に閉動作信号を出力することで、複数の上アイリス駆動部１８ａ，１８ｂ…の駆動により複数の上アイリスアーム１７ａ，１７ｂ…をノーズコーン１３に向けて前進させ、それらの先端を上ノーズコーン穴１９に入り込ませる。また、複数の上アイリス駆動部１８ａ，１８ｂ…に開動作信号を出力することで、複数の上アイリス駆動部１８ａ，１８ｂ…の逆方向の駆動により複数の上アイリスアーム１７ａ，１７ｂ…をノーズコーン１３から後退させていく。
【００１９】
下アイリス開閉制御部３１は、複数の下アイリス駆動部２１ａ，２１ｂ…に閉動作信号を出力することで、複数の下アイリス駆動部２１ａ，２１ｂ…の駆動により複数の下アイリスアーム２０ａ，２０ｂ…をノーズコーン１３に向けて前進させ、それらの先端を下ノーズコーン穴２２に入り込ませる。また、複数の下アイリス駆動部２１ａ，２１ｂ…に開動作信号を出力することで、複数の下アイリス駆動部２１ａ，２１ｂ…の逆方向の駆動により複数の下アイリスアーム２０ａ，２０ｂ…をノーズコーン１３から後退させていく。
また、コイルプレート上昇・下降制御部３２は、コイルプレート駆動部１６ａに上昇移動の駆動信号を出力してコイルプレート１６を上昇させことで、コイルプレート上昇制御処理を行う。また、コイルプレート駆動部１６ａに下方移動の駆動信号を出力してコイルプレート１６を下降させことで、コイルプレート１６を搬出位置まで下降させる。
【００２０】
ここで、図３のフローチャートを参照して、コイルプレート上昇・下降制御部３２が行うコイルプレート下降制御処理について説明する。
先ず、ステップＳＴ１において、上位コンピュータ６で記憶している線材圧延機２を通過した線材Ｗの尾端位置の情報を得る。
次に、ステップＳＴ２において、上位コンピュータ６で記憶しているコンベア４の搬送速度の情報を得る。
次に、ステップＳＴ３において、線材Ｗの尾端位置及びコンベア４の搬送速度の情報に基づいて、現在の工程でコイルプレート１６に集積されている線材コイルＣＷ１のコイル後端Ｃｂ側が、リフォーミングタブ５に到達する時刻（到達時刻）Ｈｂを予測演算する。
【００２１】
次に、ステップＳＴ４において、現在時刻が到達時刻Ｈｂに達しているか否かを判定し、現在時刻が到達時刻Ｈｂに達した場合にはステップＳＴ５に移行し、現在時刻がまだ到達時刻Ｈｂに達していない場合には、コイルプレート下降制御処理を終了する。
ステップＳＴ５においては、コイルプレート駆動部１６ａに対して高速仕様で下方移動の駆動信号を出力することで、コイルプレート１６を急下降させながら搬出位置まで下方移動させる。
この図３のフローチャートＳで示したコイルプレート上昇・下降制御部３２が行うコイルプレート下降制御処理は、現在時刻が到達時刻Ｈｂに達するまで繰り返し実行される。
【００２２】
なお、本願発明に記載されているコイル後端位置演算ステップが、図３のステップＳＴ１、ステップＳＴ２、ステップＳＴ３に対応し、本願発明に記載されている到達時刻演算ステップが図３のステップＳＴ３に対応し、本願発明に記載されているコイルプレート降下制御ステップが図３のステップＳＴ４、ステップＳＴ５に対応している。また、本願発明に記載されているコイル後端位置演算部が、図３のステップＳＴ１、ステップＳＴ２、ステップＳＴ３及びコイルプレート上昇・下降制御部３１に対応し、本願発明に記載されている到達時刻演算部が、図３のステップＳＴ３及びコイルプレート上昇・下降制御部３１に対応し、本願発明に記載されているコイルプレート降下制御部が、図３のステップＳＴ４、ステップＳＴ５及びコイルプレート上昇・下降制御部３１に対応している。
さらに、本願発明に記載されているアイリスが、上アイリス１５及び下アイリス１６に対応し、本願発明に記載されているノーズコーン穴が、上ノーズコーン穴１９及び下ノーズコーン穴２２に対応している。
【００２３】
〔リフォーミングタブの動作及び作用効果について〕
次に、本実施形態のリフォーミングタブ５の動作及び作用効果について、図４から図７を参照しながら説明する。
図４に示すように、搬出位置まで下降したコイルプレート１６には線材コイルＣＷが集積されていたが、既に外部に搬出されたものとする。そして、上アイリス開閉制御部３０の制御で、上アイリス１４の複数の上アイリスアーム１７ａ，１７ｂ…の先端をノーズコーン１３の複数の上ノーズコーン穴１９に入り込ませて上アイリス１４の閉動作を行い、コンベア４から搬送されてきた線材コイルＣＷ１は、ノーズコーン１３を通過することで位置決めされながら一時的に上アイリス１４に貯えられていく。
【００２４】
次に、図５に示すように、線材コイルＣＷ１の集積位置にコイルプレート１６が上昇してくるまで、上アイリス開閉制御部３０の制御で上アイリス１４の開動作を行い、下アイリス開閉制御部３１の制御で下アイリス１５の閉動作を行うことで、線材コイルＣＷ１を上アイリス１４から下アイリス１５に移し替える。
次に、図６に示すように、コイルプレート１６の集積位置への上昇が完了した後、下アイリス開閉制御部３１の制御で下アイリス１５の開動作を行うことで、下アイリス１５に貯えていた線材コイルＣＷ１をコイルプレート１６に移し替え、コイルプレート１６で線材コイルＣＷ１が集積されていく。
【００２５】
ここで、コイルプレート上昇・下降制御部３２は、上位コンピュータ６で記憶している線材Ｗの尾端位置と、コンベア４の搬送速度とに基づいて、線材コイルＣＷ１のコイル後端Ｃｂ側がリフォーミングタブ５に到達する到達時刻Ｈｂを演算する（図３のステップＳＴ３）。そして、現在時刻が到達時刻Ｈｂに達した時点で、コイルプレート上昇・下降制御部３２は、コイルプレート駆動部１６ａに対して高速仕様で下方移動の駆動信号を出力する（図３のステップＳＴ５）。
コイルプレート駆動部１６ａが高速仕様で下方移動を行うことで、図７に示すように、線材コイルＣＷ１を集積したコイルプレート１６が急降下動作を行う。このコイルプレート１６の速度は５０mm/sec〜７００mm/secの範囲であり、下降距離は３m程度である。
【００２６】
このとき、線材コイルＣＷ１のコイル後端Ｃｂは、ノーズコーン１３の上方位置でリフォーミングタブ５に到達している。このコイル後端Ｃｂは、コイルプレート１６が急降下動作を行うことで、ノーズコーン１３に形成されている上ノーズコーン穴１９及び下ノーズコーン穴２２に対して速度を高めながら通過していく。このため、コイル後端Ｃｂが、上ノーズコーン穴１９及び下ノーズコーン穴２２に入り込み、引っ掛かるおそれがない。
そして、急降下動作を行ったコイルプレート１６は搬出位置まで下降していき、コイルプレート１６上の集積が完了した線材コイルＣＷは外部に搬出される。
【００２７】
したがって、本実施形態は、線材コイルＣＷ１のコイル後端Ｃｂがノーズコーン１３の上方位置でリフォーミングタブ５に到達した時点で、コイルプレート１６の急降下動作を行っていることから、このコイル後端Ｃｂは、コイルプレート１６が急降下動作を行うことで、ノーズコーン１３に形成されている上ノーズコーン穴１９及び下ノーズコーン穴２２に対して速度を高めながら通過するので、上ノーズコーン穴１９及び下ノーズコーン穴２２に引っ掛かるおそれがない。したがって、リフォーミングタブ５のコイルプレート１６に線材コイルＣＷ１の集積が完了した際には作業員の監視が不要となり、リフォーミングタブ５における線材コイルＣＷ１の集積作業の効率化を図ることができる。
【００２８】
なお、本実施形態では、線材コイルＣＷ１のコイル後端Ｃｂがノーズコーン１３の上方に位置したときをリフォーミングタブ５に到達した時点としたが、線材コイルＣＷ１のコイル後端側が残り５〜６巻きのときをリフォーミングタブ５に到達した時点としてもよい。好ましくは、線材コイルＣＷ１のコイル後端側が残り３〜４巻きのときをリフォーミングタブ５に到達した時点としてもよい。
【符号の説明】
【００２９】
１  線材コイル製造ライン
２  線材圧延機
３  レイングヘッド
４  コンベア
５  リフォーミングタブ
６  上位コンピュータ
７  ＨＭＤ
８  モータ
９  パルス発信器
１０  フォーミングタブ制御部
１１  チャンバー
１２  マンドレル
１３  ノーズコーン
１４  上アイリス
１５  下アイリス
１６  コイルプレート
１６ａ  コイルプレート駆動部
１７ａ，１７ｂ  上アイリスアーム
１８ａ，１８ｂ  上アイリス駆動部
１９  上ノーズコーン穴
２０ａ，２０ｂ  下アイリスアーム
２１ａ，２１ｂ  下アイリス駆動部
２２  下ノーズコーン穴
３０  上アイリス開閉制御部
３１  下アイリス開閉制御部
３２  コイルプレート上昇・下降制御部
Ｗ  線材
ＣＷ  線材コイル
ＣＷ１  現在の工程の線材コイル
ＣＷ２  次回の工程の線材コイル
Ｃｂ  線材コイルのコイル後端
Ｈｂ  到達時刻
【図１】
2020110816.tif 000003
【図２】
2020110816.tif 000004
【図３】
2020110816.tif 000005
【図４】
2020110816.tif 000006
【図５】
2020110816.tif 000007
【図６】
2020110816.tif 000008
【図７】
2020110816.tif 000009